(57)【要約】【課題】  機器取付部材に機器を取り付けた状態でもキャビネットに機器取付部材を容易に取り付けることができる機器収納用キャビネットを提供する。【解決手段】  機器を取り付ける箱状の枠体３の背面の４隅に本体に係止する係止片７を設け、本体の対応する位置に係止溝６を設けた。係止片７は側方に突出した舌片７ｂを有すると共に、その舌片７ｂにボルト１１を螺入するタップ孔１０を設け、係止溝６は係止片７を挿通する開口部６ａと、開口部６ａに挿通した係止片７を落とし込んで係止片７の抜けを防止する落とし込み溝６ｂ、及びタップ孔１０に合わせて形成したＵ字状の切り欠き１２を設け、係止片７を開口部６ａに挿通して落とし込んだ後、ボルト１０をタップ孔１０に螺入して係止片７を背板に固定した。【選択図】  図２
2006351629.tif 000002
【特許請求の範囲】
【請求項１】
壁面に取り付けられる本体と本体の開放された前面を閉塞する蓋体とで機器収納空間を形成し、機器を機器取付部材を介して機器収納空間に収納する機器収納用キャビネットにおいて、
前記機器取付部材は、該機器取付部材の左右方向で外方へ突設されて前記本体に係止する係止片を有すると共に、本体には前記係止片に対応する係止溝を有し、該係止溝に前記係止片を係止させることで機器取付部材は本体に保持されることを特徴とする機器収納用キャビネット。
【請求項２】
係止溝は、係止片を挿通可能な開口部と、該開口部に挿通した係止片を落とし込んで前記係止片の前方への抜けを防止する落とし込み溝とを有する請求項１記載の機器収納用キャビネット。
【請求項３】
係止片はタップ孔を有し、落とし込んだ状態で、螺着手段により係止片を本体に固定可能である請求項２記載の機器収納用キャビネット。
【請求項４】
係止溝には、係止片のタップ孔位置に合わせて落とし込む方向に切り欠きが形成されている請求項３記載の機器収納用キャビネット。
【請求項５】
機器取付部材がラックマウント型機器を取り付けるための箱形状の枠体であって、ラックマウント型機器を左右双方から前記枠体に取付可能である請求項１乃至４の何れかに記載の機器収納用キャビネット。
【発明の詳細な説明】
【技術分野】
【０００１】
本発明は、通信機器等を収納する壁掛け式の機器収納用キャビネットに関する。
【背景技術】
【０００２】
通信機器等を収納する従来の壁掛け式の機器収納用キャビネットは、キャビネット内の背板に機器取付用の木製板体を配置し、その板体に機器を取り付けて収納したり、ラックマウント型機器を収納する場合は、金属フレームで形成した枠体を背板に取り付けて、枠体を介して機器を取り付けて収納していた（例えば、特許文献１参照）。
【特許文献１】特開２００３−１４２８５７号公報
【発明の開示】
【発明が解決しようとする課題】
【０００３】
上述する木製板体や枠体等の機器取付部材は、通常キャビネット背板にネジ止めして組み付けられるが、機器取付部材のネジ止め部位は、機器を組み付けた状態では機器により隠れてしまう事があるため、機器取付部材を予めキャビネットに組み付けてネジ止めした後、機器の取付作業が行われていた。
しかし、壁掛け式のキャビネットは、人の通行等の妨げにならないように高所に設置される場合が多いため、機器取付部材のキャビネット内への取り付け操作は容易ではなかったし、更に機器の収納操作も高所での作業となるため、簡単に行うことのできる作業ではなかった。そのため、機器取付部材のキャビネット内への取り付け操作を容易に行うことができ、更に機器を予め機器取付部材へ組み付けてから機器取付部材をキャビネットに取り付けることができれば、作業者への負担を軽減でき、スムーズに収納作業を行う事が可能となる。
【０００４】
そこで、本発明はこのような問題点に鑑み、機器取付部材に機器を取り付けた状態でもキャビネットに機器取付部材を容易に取り付けることができる機器収納用キャビネットを提供することを目的とする。
【課題を解決するための手段】
【０００５】
上記課題を解決する為に、請求項１に記載の発明は、壁面に取り付けられる本体と本体の開放された前面を閉塞する蓋体とで機器収納空間を形成し、機器を機器取付部材を介して機器収納空間に収納する機器収納用キャビネットにおいて、前記機器取付部材は、該機器取付部材の左右方向で外方へ突設されて前記本体に係止する係止片を有すると共に、本体には前記係止片に対応する係止溝を有し、該係止溝に前記係止片を係止させることで機器取付部材は本体に保持されることを特徴とする。
この構成により、係止部は機器取付部材の周囲に配置されているので、係止部を見やすく機器取付部材の取り付けがし易い。また、機器取付部材に機器が組み付けられた状態でも係止部を見やすく、本体への組み付け操作を容易に実施できる。従って、作業し易い低い位置で機器の組み付けを行うことができ、キャビネットへの収納作業がし易くなる。
【０００６】
請求項２の発明は、請求項１に記載の発明において、係止溝は、係止片を挿通可能な開口部と、該開口部に挿通した係止片を落とし込んで前記係止片の前方への抜けを防止する落とし込み溝とを有することを特徴とする。
この構成により、係止溝に係止片を合わせて挿通したあとは、係止片は落とし込まれて係止するので、機器取付部材の取付操作が高所での作業であっても容易である。
【０００７】
請求項３の発明は、請求項２に記載の発明において、係止片はタップ孔を有し、落とし込んだ状態で、螺着手段により係止片を本体に圧着固定可能であることを特徴とする。
この構成により、ボルト等の螺着手段により機器取付部材を確実に本体に連結固定できる。また、機器取付部材の周囲に配置した係止片を締着するので、機器を組み付けた状態でも螺着操作し易い。
【０００８】
請求項４の発明は、請求項３に記載の発明において、係止溝には、係止片のタップ孔位置に合わせて落とし込む方向に切り欠きが形成されていることを特徴とする。
この構成により、螺着手段を係止片に取り付けた状態で係止片の落とし込み操作が可能となり、予め螺着手段を係止片に取り付けておくことができ、螺着操作し易いし螺着手段を落とすような事もなくなる。
【０００９】
請求項５の発明は、請求項１乃至４の何れかに記載の発明において、機器取付部材がラックマウント型機器を取り付けるための箱形状の枠体であって、ラックマウント型機器を左右双方から前記枠体に取付可能であることを特徴とする。
この構成により、機器取付部材を箱形状の枠体とすることで、持ちやすく扱いやすいし、左右双方から機器を取付可能とすることで、機器収納空間の有効活用ができる。
【発明の効果】
【００１０】
本発明によれば、係止部は機器取付部材の周囲に配置されているので、係止部を見やすく機器取付部材の取り付けがし易い。また、機器取付部材に機器が組み付けられた状態でも係止部を見やすく、本体への組み付け操作を容易に実施できる。従って、作業し易い低い位置で機器の組み付けを行うことができ、キャビネットへの収納作業がし易くなる。
【発明を実施するための最良の形態】
【００１１】
以下、本発明を具体化した実施の形態を、図面に基づいて詳細に説明する。図１は本発明に係る通信機器収納用キャビネットの実施形態の一例を示し、１はキャビネットの本体、２は蓋体であり、蓋体２を外した状態の斜視図を示している。そして、３は本体１の機器収納空間５に設置した機器取付部材としての枠体、４は収納する機器を示している。
【００１２】
本体１は、鋼板で形成した背板１ａと底板１ｂとから成り、前方及び左右側方の全体が開放され、上方に対しても大きく開放されている。そして、背板１ａの上下左右の４箇所に枠体３を係止して取り付けるための係止溝６が形成されている。また、蓋体２は鋼板を折り曲げて形成され、本体１の開放された機器収納空間５を閉塞するように、前面、左右側面、そして天板を備えている。
【００１３】
枠体３は箱状に立体形成され、左右双方向からラックマウント型の機器４を縦にして収納できるように、左右枠部の上下辺に機器４を固定するためのネジ孔８が設けられ、また左右及び上下方向が対称に形成され左右反転が可能となっている。そして、ネジ孔８に合わせて機器４を縦にして挿入してネジ止め固定し、機器４を取り付けた枠体３を本体１に組み付けることで、機器４は本体１に組み付けられる。
機器４は枠体３に隣接させて組み付けることができ、本体１の前後方向に重ねるように複数の機器４を収納可能となっている。また、本体１の背板１ａに接する枠体３背部の４隅には、背板１ａに係止させるための係止片７が左右外方に向けて突設されている。
【００１４】
係止溝６及び係止片７は図２に示すように形成されている。図２はＡ部の拡大図であり、（ａ）はボルトにより螺着して固定した状態、（ｂ）は係止を解除した状態を示している。係止片７は、図示するように枠体３の背部から後方に僅かに突出した首部７ａと、右外方に折り曲げて突出形成した舌片７ｂから成り（左側に形成された係止片７は、左に折り曲げて舌片７ｂを突出形成している）、舌片７ｂの先端部にはねじ孔（タップ孔）１０が設けられ、１１はタップ孔１０に螺入したボルトを示している。
一方、係止溝６は、係止片７を挿通する開口部６ａを有し、開口部６ａの一方の下端部に首部７ａを下方に落とし込んで挟持する落とし込み溝６ｂが形成され、他方の下端部となるタップ孔１０に合わせた位置にボルト１１の首部を落とし込むＵ字状の切り欠き１２が形成されている。
【００１５】
このように形成されたキャビネットは次のように壁面に組み付けられて使用される。まず、本体１を壁面に取り付ける。本体１の背板１ａ上部には係止孔１３が設けられ、壁面に設けた突起（図示せず）を係止して保持させ、所定箇所をネジ止めして取り付けられる。
次に、機器４を取り付けた枠体３を本体１に取り付ける。枠体３の夫々の係止片７を係止溝６に挿入して落とし込むことで枠体３は本体１に係止し保持される。この時、係止溝６及び係止片７から成る係止部は枠体３の周囲に配置されているので、機器４が組み付けられた状態でも係止部を見やすく、本体への組み付け操作を容易に実施できる。
【００１６】
そして、この状態で各係止片７のタップ孔１０にボルト１１を螺入して背板１ａと係止片７を固着し、枠体３を背板１ａに固定する。この際、図２に示すように、係止溝６はタップ孔１０の位置に合わせて切り欠き１２を有するので、ボルト１１を係止片７に取り付けた状態で係止片７の挿入係止操作が可能である。よって、予めボルト１１を係止片７に取り付けておくことができ、螺着操作し易いしボルトを落とすような事もない。
最後に、蓋体２を組み付ける。蓋体２は天板端部に係止爪（図示せず）を有すると共に、前面下部に係止機構１４を有し、係止爪を本体上端に設けられた係止溝１６に係止させると共に、係止機構１４を本体１の底板１ｂに係止させて取り付けられる。
【００１７】
このように、係止溝に枠体周囲に突出形成した係止片を合致させて挿通するだけで係止片は落とし込まれて係止され、前方へ抜けるようなことが無いので、機器取付部材である枠体の取付操作が高所での作業であっても容易に実施できる。逆に、持ち上げることで係止を解除できるので、容易に取り外しできる。従って、作業し易い低い位置で機器の組み付けを行うことができ、キャビネットへの収納作業がし易い。
また、枠体を箱形状とすることで、持ちやすく扱いやすいし、左右双方から機器を組み付けできるので、機器収納空間の有効活用ができる。更に、枠体は左右反転できるので、機器の向きを容易に反転でき、キャビネットの設置環境に応じて容易に機器の向きを選択できる。
【００１８】
図３，図４は本発明の他の形態を示し、上記図１とは機器取付部材の構成が異なり、木製の板体１８としている。図３は板体１８を本体１に組み付けた状態、図４は板体１８を外した状態を示し、何れも蓋体は省略してある。ラックマウント型でない機器を収納する場合このような板が使用され、機器は板上の任意位置にネジ止め等で取り付けられる。
板体１８は、背板１ａの形状に合わせて四角形に作製され、４隅に上記図２と同様な係止片７が取り付けられている。そして、本体背板１ａの４隅にも図２と同様な係止溝６が設けられている。
このように構成することで、係止部は板体の周囲に配置されているので、機器を組み付けた状態でも板体を本体に容易に取り付けることができる。従って、作業し易い低い位置で機器の組み付けを行うことができ、キャビネットへの収納作業がし易いし、板体の本体への取り付けもし易い。
【００１９】
尚、上記実施形態では、螺着手段をボルト１１としいるが、勿論ネジであっても良い。また、機器取付部材と本体１との係止部が螺着部と一体となっているが、双方は機器取付部材の周囲に突出するよう設ければよく、係止部と螺着部を独立して設けても良い。
【図面の簡単な説明】
【００２０】
【図１】本発明に係る機器収納用キャビネットの実施形態の一例を示し、蓋体を外した状態の斜視図である。
【図２】図１の枠体をキャビネット本体から外した斜視図である。
【図３】本発明の他の形態を示し、要部斜視図である。
【図４】図３の板体をキャビネット本体から外した斜視図である。
【符号の説明】
【００２１】
１・・本体、１ａ・・背板、３・・枠体（機器取付部材）、４・・機器、５・・機器収納空間、６・・係止溝、６ａ・・開口部、６ｂ・・落とし込み溝、７・・係止片、１０・・タップ孔、１１・・ボルト（螺着手段）、１２・・切り欠き、１８・・板体。
【図１】
2006351629.tif 000003
【図２】
2006351629.tif 000004
【図３】
2006351629.tif 000005
【図４】
2006351629.tif 000006